(57)【要約】      （修正有）【課題】即席カップ麺の包装開封において、カップ容器に直接貼付できる非金属・非陶器製の安価な製品で安全性、環境にも配慮した簡単な構造からなり、包装ラップの開封若しくは開封口の作製ができることを可能にするカッターを提供する。また、容器に直接貼付しない、販売店で手渡しすることを想定した、カッターも併せて提供する。【解決手段】刃先端の突出部を包装ラップの隙間部に押し当てることでラップに切れ目を入れ開封する。また、折返し構造を有するカッターにあっては、カップメン容器蓋淵部にカッター裏面を突出部がはみ出すように貼付し、下方へ折り曲げる。折曲部と先端との間にさらなる折曲部を予め若しくは使用者が作製する。先端がラップに対してほぼ垂直方向に立ち、加圧することで開封口を作り、ラップに切れ目を入れ、開封を可能とする。【選択図】図１
0003120213.tif 000002
【実用新案登録請求の範囲】
【請求項１】
把持部と把持部に対して外周を突出させた頂点を有することを特徴とする非金属製・非陶器製の即席カップメン包装開封用のカッター。
【請求項２】
請求項１記載の把持部に対して外周を湾出させたことを特徴とする非金属製・非陶器製の即席カップメン包装開封用のカッター。
【請求項３】
請求項１若しくは、請求項2記載の開封カッター裏面若しくは裏面の一部に接着剤を被着させた即席カップメン包装開封用のカッター。
【請求項４】
請求項１若しくは、請求項2記載の開封カッター裏面若しくは裏面の一部に接着加工を施した即席カップメン包装開封用のカッター。
【請求項５】
請求項3若しくは、請求項４記載の開封用カッターの一部を裏面方向に折曲させた形状を有することを特徴とする即席カップメン包装開封用のカッター。
【請求項６】
請求項５記載の開封用カッターの折曲部と請求項1記載の頂点部先端、若しくは、請求項２記載の湾出部との間に平行方向にさらに折曲部を有することを特徴とする即席カップメン包装開封用のカッター。
【請求項７】
請求項５記載の開封用カッターの折曲部と請求項1記載の湾出部先端、若しくは、請求項２記載の頂点部との間に平行方向にさらに折曲部を施すことを意図させることを目的とするためのミシン目や溝きり加工若しくは、線画を施したことを特徴とする即席カップメン包装開封用のカッター。
【請求項８】
請求項５記載の開封用カッターの折曲部裏面に突起を有することを特徴とする即席カップメン包装開封用のカッター。
【考案の詳細な説明】
【技術分野】
【０００１】
本考案は、即席カップメン包装の開封において、カップに直接使用若しくは貼付して使用できる非金属・非陶器製の安価な製品で安全性、環境にも配慮した簡単な構造からなり、誰でも即座に包装ラップの開封若しくは開封口の作製ができることを可能にするカッターの提供に関する。
【背景技術】
【０００２】
市販されている即席カップメンにはビニルのラップ包装がされている。包装を開封するには通常、包装ラップと容器との間の隙間部の空間を利用し、爪若しくは道具等を用いて開封することを要する。しかしながら、容器の形状によっては包装ラップとの空間部の隙間が少なく開封において爪で開けることさえ困難を要することが多い。一方、道具を用いるにおいても、その都度、その場に開封に適した道具が手近に存在するとは限らない。
このような事情から、現状ではカップメンの種類によっては、容器底に予めラップ包装のされていない小さな穴部を設け、その上にシール片を貼付し、それを剥がしラップ包装開封のきっかけとする工夫がされているものが見受けられるだけである。
【考案の開示】
【考案が解決しようとする課題】
【０００３】
そこで、本考案は、即席カップメンの包装を確実かつ容易に開封するための安価で分別処理しやすい非金属、非陶器製のカッターを提供することを目的とする。
【課題を解決するための手段】
【０００４】
前記目的を達成するため、請求項１に記載された考案は、把持部と把持部に対して外方向に外周を突出させた頂点を有することを特徴とする一体形成された非金属製・非陶器製の即席カップメン包装開封用のカッターである。
【０００５】
請求項2記載の考案は、前記把持部に対して外方向に外周を湾曲させたことを特徴とする請求項1に記載の即席カップメン包装開封用のカッターである。
【０００６】
請求項3記載の考案は、請求項１若しくは請求項2記載の開封カッター裏面若しくは裏面の一部に接着剤を被着させた即席カップメン包装開封用のカッターである。
【０００７】
請求項4記載の考案は、請求項１若しくは、請求項2記載の開封カッター裏面若しくは裏面の一部に接着加工を施した即席カップメン包装開封用のカッターである。なお、請求項３は請求項４の１対応として抽出したものである。
【０００８】
請求項5記載の考案は、請求項3、若しくは請求項４記載の開封用カッターの一部を裏面方向に折曲させた形状を有することを特徴とする即席カップメン包装開封用のカッターである。
【０００９】
請求項6記載の考案は、請求項５記載の開封用カッターの折曲部と請求項1記載の湾出部若しくは、請求項２記載の頂点部との間に平行方向にさらに折曲部を有することを特徴とする即席カップメン包装開封用のカッターである。なお、本出願書類において、平行とは、折曲してできる線が平行になる関係を言い、平行方向とは、必ずしも、折曲線を延長した場合に互いが交わらないことを想定しておらず、凡そ平行になるという概念としての意味である。
【００１０】
請求項7記載の考案は、請求項５記載の開封用カッターの折曲部と請求項1記載の頂点部若しくは、請求項２記載の湾出部との間に平行方向にさらに折曲部を有することを意図させる加工や線画を施すことを特徴とする即席カップメン包装開封用のカッターである。
【００１１】
請求項８記載の考案は、請求項５記載の開封用カッターの折曲部裏面に突起を有することを特徴とする即席カップメン包装開封用のカッターである。
【考案の効果】
【００１２】
請求項１に記載の考案によれば、頂点部をカップメン容器とビニルラップとが形成する隙間部分のラップに押し当てることにより、誰でも容易に包装を開封することができる。
【００１３】
請求項２に記載の考案によれば、湾出部をカップメン容器とビニルラップとが形成する隙間部分のラップに押し当てることにより、誰でも容易に包装を開封することができる。
【００１４】
また、請求項3及び請求項4記載の考案によれば、カップメンの製造過程若しくは、流通過程で裏面若しくは裏面の一部に接着加工等させたカッターをカップメン容器に貼着させることができ、使用者は常に開封道具として、請求項1若しくは請求項2記載のカッターを利用することができる。
【００１５】
また、請求項５記載の考案によれば、カップメン容器上蓋の外周部に請求項３若しくは請求項４のカッターを突出部が食み出した状態で上蓋外周に沿う形で下方に折曲させて貼付する。そして、開封時には、折曲部と先端部との間でさらに平行方向に折曲部を作成することで、先端が包装ラップに対してほぼ垂直方向となり、先端がラップに刺さるようカッターを押圧することで開封口を作ることができる。
【００１６】
また、請求項６記載の考案によれば、[００１４]に記載した、さらなる折曲部を予め作製しておくことで、開封者の利用における手間を考慮し、より少ないアクションで確実に開封口を作ることができる。
【００１７】
また、請求項７記載の考案によれば、[００１６]記載のように、予めさらなる折曲部を作成しておくことは、場合によっては、不測のカッターへの加圧により、ラップ包装に不意に穴が開く可能性があることから、さらなる折曲部の作成を使用者が行うことを想定し、そのための補助として、ミシン目や溝きり、線画を付す加工を施すことで、誰もが本考案の仕様を理解し確実に実施を図ることができる。
【００１８】
また、請求項８記載の考案によれば、折曲部裏面に突起を有することで、折曲部表面の押圧により、容器とラップとが形成する隙間部分を突起の数だけ貫通し、開封口を開けることができる。[００１７]記載のように、不測の加圧により、不意に穴が開いたとしても、折曲部それ自体が、開口穴に対して蓋の役目を果たすという効果も有する。
【考案を実施するための最良の形態】
【００１９】
以下、図を参照しつつ、考案を実施するための最良の形態につき説明する。
【００２０】
（実施の形態１）
図１は本考案の実施の形態１のカッターの構成を示す図である。図１において、１００は把持部である。１０１は頂点部である。図２は図１の頂点部を丸くした湾出部２０１を有するカッターを示す図である。図３は図１の頂点を複数有するカッターである。図１乃至図３の実施形態はそれぞれ同様である。以下、説明する。
【００２１】
図１乃至図３のカッターの頂点部１０１、３０１、突出部２０１をカップメンのカップ容器とラップとの間の隙間部分４０１のある箇所に突き刺し、そのままカッターをスライドさせることで用い、誰でも容易にラップを開封することを可能にする。図４はその様子を示したものである。  
【００２２】
（実施の形態２）
図５は本考案の実施の形態２のカッターの構成を示す斜視図である。図５は図１乃至図３のカッターの裏面若しくは裏面の一部図に接着加工等を施したカッターである。カップメンの製造若しくは流通過程でカップ容器に貼付することを可能にし、使用者が開封時には、本考案品を必然的に利用することを可能にする。なお、使用方法については、実施の形態１と同様である。
【００２３】
（実施の形態３）
図６は本考案の実施の形態３のカッターの構成を示す斜視図である。図６はカップメン容器上蓋の外周部６００に図５のカッターを突出部が食み出した状態で上蓋外周に沿う形で下方に折曲させて貼付した斜視図である。６０１はその折曲部を示す。そして、開封時には、折曲部と先端部との間でさらに平行方向に折曲部７０１を作製することで、先端が包装ラップに対してほぼ垂直方向となる。使用者は先端がラップに刺さるようカッターを押圧することで開封口を作ることができる。図７は開封者が押圧している様子を示す斜視図である。
【００２４】
（実施の形態４）
図８は本考案の実施の形態４のカッターの構成を示す斜視図である。図８は予め図７の７０１折曲部を有したカッターを示す斜視図である。
【００２５】
（実施の形態４の効果）
さらなる折曲部を予め作製しておくことで、開封者の利用において先端がラップに刺さるよう一定幅の折り目を予め作製しておくこととなり、確実に開封口を作ることができる。
【００２６】
（実施の形態５）
図９は本考案の実施の形態５のカッターの構成を示す斜視図である。さらなる折曲部７０１の作製を使用者が行うことを想定し、そのための補助として、ミシン目や溝きり、線画９０１を付す加工を施した斜視図である。
【００２７】
（実施の形態５の効果）
予めさらなる折曲部７０１を作成しておくことは、場合によっては、不測のカッターへの加圧により、先端部が接触することでラップ包装に不意に穴を開ける可能性がある。ゆえに、さらなる折曲部７０１の作成を使用者が行うことを想定し、そのための補助として、ミシン目や溝きり、線画９０１を付す加工を施すことで一定幅の折り目を作製でき、誰もが本考案の仕様を理解し、確実に実施を図ることができる。
【００２８】
（実施の形態６）
図１０は本考案の実施の形態６のカッターの構成を示す斜視図である。図６の６０２裏面に突起１００１を有した構造を示す斜視図である。
【００２９】
（実施の形態６の効果）
折曲部裏面に突起１００１を有することで、折曲部表面６０２の押圧により、突起の数だけラップを貫通し穴を開けることができる。複数の突起を設ければ、複数の開封口を開けることができ、そこを開封の契機として、確実、簡単にラップを開封することができる。不測の加圧により、不意にラップ包装に穴が開いたとしても、折曲部６０２それ自体が、開口穴に対して蓋の役目を果たすという効果も有する。なお、突起の数は限定しない。
【図面の簡単な説明】
【００３０】
【図１】実施の形態１のカッターの構成を示す図である。
【図２】図１の頂点部を湾出部にしたカッターの構成を示す図である。
【図３】図１の頂点部を複数有するカッターの構成を示す図である。
【図４】実施の形態１のカッターの把持部を挟持し、容器とラップとの隙間部に突き刺した様子を示す図である。
【図５】実施の形態２のカッターの構成を示す図である。
【図６】実施の形態３のカッターの構成を示す図である。
【図７】実施の形態３、４、５のカッターを使用した開封時において、押圧することにより、カッター先がラップに突き刺さり、開封口を作る様子を示した図である。
【図８】実施の形態４のカッターの構成を示す図である。
【図９】実施の形態５のカッターの構成を示す図である。
【図１０】実施の形態６のカッターの構成を示す図である。
【符号の説明】
【００３１】
１００      把持部  
１０１      頂点部
２０１      湾出部
３０１      頂点部
４０１      容器とラップとの隙間
６００      カップメン容器上蓋の外周部
６０１      折曲部
６０２      折曲部表面
７０１      さらなる折曲部      
９０１      ミシン目や溝きり、線画を付す加工を示す線
１００１    突起部
【図１】
0003120213.tif 000003
【図２】
0003120213.tif 000004
【図３】
0003120213.tif 000005
【図４】
0003120213.tif 000006
【図５】
0003120213.tif 000007
【図６】
0003120213.tif 000008
【図７】
0003120213.tif 000009
【図８】
0003120213.tif 000010
【図９】
0003120213.tif 000011
【図１０】
0003120213.tif 000012